(57)【要約】【課題】電子レンジで調理する米飯、惣菜等の内容物が入ったトレーを収納するカートンにおいて、開封後にカートンから取り出した内容物の入ったトレーを電子レンジで調理する時に、トレーを保持するホールダーとして使用できる機能を付与したホールダー兼用カートンを提供することにある。【解決手段】本発明は、カートンの一つの面に、対向する平行な一対の辺を折れ線とし、他の辺を外周切り取り線とし、一対の折れ線の中間に折れ線に平行な中央切り取り線を多角形を上切り込み片と下切り込み片とに二分する形で設け、上切り込み片と下切り込み片とを折れ線でカートンの内方に折り曲げて電子レンジで調理する時にトレーを嵌合する嵌合孔を形成できることを特徴とするホールダー兼用カートンである。【選択図】図１
2004276920.tif 000002
【特許請求の範囲】
【請求項１】
電子レンジで調理する米飯、惣菜等の内容物が入ったトレーを収納し、開封後に取り出した前記内容物の入った前記トレーを電子レンジで調理する時に、一つの面に設けた嵌合孔に前記トレーを嵌合して保持するホールダーとして使用できる機能を付与したカートンであって、
前記嵌合孔が略多角形であり、対向する平行な一対の辺を折れ線とし、他の辺を外周切り取り線とし、一対の前記折れ線の中間に前記折れ線に平行な中央切り取り線を前記多角形を上切り込み片と下切り込み片とに二分する形で設け、前記上切り込み片と前記下切り込み片とを前記折れ線で前記カートンの内方に折り曲げて前記嵌合孔を形成できることを特徴とするホールダー兼用カートン。
【請求項２】
前記中央切り取り線の略中央部に上下方向の少なくとも一つの方向に一対の切り込みを設けたことを特徴とする請求項１に記載するホールダー兼用カートン。
【請求項３】
前記中央切り取り線が、前記切り込みから両側に向かう方向に切り取りやすく、前記外周切り取り線が、前記中央切り取り線との交点から前記折れ線に向かう方向に切り取りやすい形状としたことを特徴とする請求項２に記載するホールダー兼用カートン。
【発明の詳細な説明】
【０００１】
【発明の属する技術分野】
本発明は、電子レンジで調理する米飯、惣菜等の内容物が入ったトレーを収納するカートンであって、開封後に内容物の入ったトレーを電子レンジで調理する時に、トレーを保持するホールダーとして使用できる機能を付与したホールダー兼用カートンに関するものである。
【０００２】
【従来の技術】
従来、電子レンジで調理する米飯、惣菜等の内容物が入ったトレーを収納するカートンとしては、通常のシールカートン等あったり、あるいは、一方が開口した形状で、内容物が入ったトレー、具材等を収納し、全体をシュリンク包装する形態が公知であり、使用されている。また、電子レンジで調理する米飯、惣菜等の内容物が入ったパウチを収納するカートンとしては、パウチをカートンの収納したままで電子レンジ内で調理できるようにした形態が提案されている（例えば、特許文献１参照。）。
【０００３】
【特許文献１】
特開平１１−９９０６５号公報
【０００４】
【発明が解決しようとする課題】
上記のように、パウチの場合には、カートンに収納したままで電子レンジに入れて調理することができる形態とすることはできるが、調理後には、パウチを手で持って中味を他の容器に移して食する必要があり、手間がかかるという問題がある。その点、トレーの場合には、調理後に、そのまま食することができるという長所がある。しかしながら、従来の形態のカートンでは、電子レンジで調理する場合、内容物の入ったトレーをカートンから取り出して、トレーの状態で電子レンジに入れ、調理終了後にトレーのまま取り出して食するという方法であり、加熱されたトレーを直接手で持つ必要があり、熱いままでは持ちにくく、火傷するなどの危険性があるという問題がある。
【０００５】
そこで本発明は、電子レンジで調理する米飯、惣菜等の内容物が入ったトレーを収納するカートンにおいて、開封後にカートンから取り出した内容物の入ったトレーを電子レンジで調理する時に、トレーを保持するホールダーとして使用できる機能を付与したホールダー兼用カートンを提供することである。
【０００６】
【課題を解決するための手段】
上記のような問題点を解決すべく種々検討した結果、本発明は、電子レンジで調理する米飯、惣菜等の内容物が入ったトレーを収納し、開封後に取り出した前記内容物の入った前記トレーを電子レンジで調理する時に、一つの面に設けた嵌合孔に前記トレーを嵌合して保持するホールダーとして使用できる機能を付与したカートンであって、前記嵌合孔が多角形であり、対向する平行な一対の辺を折れ線とし、他の辺を外周切り取り線とし、一対の前記折れ線の中間に前記折れ線に平行な中央切り取り線を前記多角形を上切り込み片と下切り込み片とに二分する形で設け、前記上切り込み片と前記下切り込み片とを前記折れ線で前記カートンの内方に折り曲げて前記嵌合孔を形成できることを特徴とするホールダー兼用カートンである。そして、前記中央切り取り線の略中央部に上下方向の少なくとも一つの方向に一対の切り込みを設けたこと、前記中央切り取り線が、前記切り込みから両側に向かう方向に切り取りやすく、前記外周切り取り線が、前記中央切り取り線との交点から前記折れ線に向かう方向に切り取りやすい形状としたことを特徴とする。
【０００７】
本発明によれば、電子レンジで調理する米飯、惣菜等の内容物が入ったトレーを収納するカートンにおいて、開封後にカートンから取り出した内容物の入ったトレーを電子レンジで調理する時に、空になったカートンの一面に設けた嵌合孔にトレーを嵌合し保持するホールダーとして使用できる機能を付与したカートンを得ることができるものである。
【０００８】
【発明の実施の形態】
つぎに、本発明のホールダー兼用カートンの実施の形態について、図面等を用いて以下に詳しく説明する。図１は、本発明のホールダー兼用カートンの実施の形態の一実施例のホールダーとして使用する前の状態を示す斜視図であり、図２は、本発明のホールダー兼用カートンを実際にホールダーとして使用する状態を示す斜視図であり、図３は、本発明のホールダー兼用カートンの実施の形態の一実施例のブランクを示す展開図であり、図４は、本発明のホールダー兼用カートンを実際にホールダーとして使用する説明図である。
【０００９】
図１は、本発明のホールダー兼用カートンの実施の形態の一実施例を示す斜視図である。図１−ａはホールダー兼用カートンＡの表面側を、図１−ｂはホールダー兼用カートンＡの裏面側を示している。裏面側の面（必ずしも裏面側に限定されるものではない）には、トレーＢを嵌合するための８角形の嵌合孔１を形成するために、外周切り取り線４、４、折り込み用の折れ線６、６、そして、中央切り取り線５を設けている。本実施例のように上方に開口部を有する形状の場合には、中に内容物であるトレーＢを収納し全体をプラスチックフィルムで包装することが好ましい。
【００１０】
図２は、本発明のホールダー兼用カートンＡを開封した後、トレーＢのホールダーとして使用する時の形状を示す斜視図である。ホールダー兼用カートンＡでは、図１で示した中央切り取り線５、外周切り取り線４、４を引き裂いて、正８角形が二分されて形成された上切り込み片２と下切り込み片３とを折り込み用の折れ線６、６でホールダー兼用カートンＡの内方にそれぞれ折り込んで、トレーＢを嵌合し保持することが可能な正８角形の嵌合孔１を形成している。
【００１１】
図３は、本発明のホールダー兼用カートンＡのブランクを示す展開図である。ブランク１０は、図３に示すように、側面１１、前面１２、側面１３、後面１４、糊代片１５を順次折れ線ａ、ｂ、ｃ、ｄを介して連設している。また、側面１１の下辺には折れ線ｅを介して底折り込み片１６を連設し、前面１２の下辺には折れ線ｆを介して底面１７を連設し、側面１３の下辺には折れ線ｇを介して底折り込み片１８を連設し、後面１４の下辺には折れ線ｈを介して底面１９を連設している。
【００１２】
また、後面１４の上辺には、折れ線を介して補強片（図示せず）を連設することもできる。本実施例のような上部を開口した形状のカートンの場合には、使用する時に、この補強片を折り曲げることにより、後面１４が補強されてトレーＢを嵌合したホールダー兼用カートンＡが変形しにくくする効果がある。
【００１３】
そして、後面１４には、トレーＢを嵌合し保持する正８角形の嵌合孔１を形成するための外周切り取り線４、４、折れ線６、６、そして、その正８角形を上切り込み片２と下切り込み片３とに二分するように中央切り取り線５を設けている。すなわち、正８角形の上下の対向する平行な２辺は、上切り込み片２と下切り込み片３を折り込むための折れ線６、６とし、他の６辺は、外周切り取り線４、４とし、そして、上下の折れ線６、６の中間に位置する線で、正８角形を２分する位置に折れ線６、６に平行に中央切り取り線５を設けている。
【００１４】
さらに、上切り込み片２と下切り込み片３を切り取るきっかけとするために、中央切り取り線５を引き裂く取っ掛かりとなるように、中央切り取り線５の略中央部には、上方向の上切り込み片２に一対の上切り込み２ａ、２ａを下方向の下切り込み片３に一対の下切り込み３ａ、３ａを入れている。この切り込みは上下のいずれか一方向であってもよい。
【００１５】
そして、中央切り取り線５および外周切り取り線４は引き裂きやすいように、本実施例では、不連続なＹ字形の切り込みとしているが、他にも、Ｌ字形、Ｉ字形の切り込みとすることもできる。いずれの場合にも、中央切り取り線５の中央部から引き裂きはじめて、外周切り取り線４、４との交点まで引き裂き、引き続いて外周切り取り線４、４を上下方向に引き裂くことができるように、方向性を持たせることが好ましい。
【００１６】
また、本実施例では、嵌合孔１の形状を、正８角形としているが、円形のトレーＢを嵌合して保持できればよく、４角形、６角形、１０角形等とすることができる。また、外周切り取り線４の部分においては、一部をトレーＢに合わせて円弧状にすることもできる。
【００１７】
また、中央切り取り線５を平行な二本の切り取り線とした帯状のジッパーとすることもできる。
【００１８】
つぎに、実際に、本発明のホールダー兼用カートンＡを開封した後に、内容物の入ったトレーＢを電子レンジで調理する時に、トレーＢを保持するホールダーとして使用する方法について説明する。内容物の入ったトレーＢをホールダー兼用カートンＡから取り出して、トレーＢを空のホールダー兼用カートンＡに嵌合し保持した状態で電子レンジに入れ、調理終了後にそのまま取り出して食するという方法である。
【００１９】
まず、図４−ａに示すように、ホールダー兼用カートンＡからトレーＢを取り出す。つぎに、開封された空き箱であるホールダー兼用カートンＡをトレーＢのホールダーとして使用するが、そのために、ホールダー兼用カートンＡの裏面側の後面１４にトレーＢを嵌合し保持する嵌合孔１を形成する。この嵌合孔１を形成するために、まず、図４−ｂに示すように、中央切り取り線５の中央部に設けた上切り込み２ａ、２ａ、下切り込み３ａ、３ａを内方に押し込み、そして、その部分を摘んで取っ掛かりとして中央切り取り線５を両側方向に引き裂く、つぎに、図４−ｃに示すように、中央切り取り線５に連続している外周切り取り線４、４を上下方向に引き裂いて、折れ線６、６の部分を残した状態としてそれぞれ上切り込み片２、下切り込み片３とし、この上下切り込み片２、３を内方に折り込むことにより、図２に示すように、ホールダー兼用カートンＡの後面１４に正８角形の嵌合孔１を形成することができる。
【００２０】
そして、図４−ｄに示すように、この嵌合孔１に内容物の入ったトレーＢを嵌合し保持した状態にして電子レンジ内に入れ調理することができる。すなわち、トレーＢを取り出した後の空のホールダー兼用カートンＡをトレーＢのホールダーとして利用することができる。さらに、調理後に取り出して、ホールダー兼用カートンＡにトレーＢを嵌合し保持した状態で食することもできる。
【００２１】
なお、ホールダー兼用カートンの形態は、本実施では上部が開口したボトム形式としているが、特に限定されるものではなく、例えば、他のボトム形式のカートン、シールカートン、サック式カートン、二重式カートン、ロック式カートン等、適宜選定することができる。
【００２２】
上記の本発明のホールダー兼用カートンに使用する材料としては、主に板紙があげられるが、他にもＥフルート、マイクロフルートなどの段ボール、プラスチックシートなどがあげられる。板紙としては、１６０〜５００ｇ／ｍ２の範囲が好ましい。
【００２３】
【発明の効果】
本発明のホールダー兼用カートンは、電子レンジで調理する米飯、惣菜等の内容物が入ったトレーを収納するカートンであって、内容物であるトレーを収納する通常の機能に加えて、カートンを開封後に取り出した内容物の入ったトレーを電子レンジで調理する時に、空になったカートンの一面に設けた嵌合孔にトレーを嵌合し保持するホールダーとして使用できるという機能を有し、使用者が直接加熱されたトレーを手で持つ必要がなく、火傷をする危険性を防ぐという効果を奏するものである。
【図面の簡単な説明】
【図１】本発明のホールダー兼用カートンの実施の形態の一実施例のホールダーとして使用する前の状態を示す斜視図である。
【図２】本発明のホールダー兼用カートンを実際にホールダーとして使用する状態を示す斜視図である。
【図３】本発明のホールダー兼用カートンの実施の形態の一実施例のブランクを示す展開図である。
【図４】本発明のホールダー兼用カートンを実際にホールダーとして使用する説明図である。
【符号の説明】
Ａ    ホールダー兼用カートン
Ｂ    トレー
１    嵌合孔
２    上切り込み片
３    下切り込み片
４    外周切り取り線
５    中央切り取り線
６    折れ線
１０    ブランク
１１    側面
１２    前面
１３    側面
１４    後面
１５    糊代片
１６    底折り込み片
１７    底面
１８    底折り込み片
１９    底面
ａ〜ｈ  折れ線
【図１】
2004276920.tif 000003
【図２】
2004276920.tif 000004
【図３】
2004276920.tif 000005
【図４】
2004276920.tif 000006